(57)【要約】【課題】目地部に設けられたシーリング材のシール切れが生じても壁材の裏側にまで水が流入することを防止ないし抑制することができるジョイナ及び壁構造を提供する。【解決手段】ジョイナ２０は、バックプレート部２１と、該バックプレート部２１の前面から立ち上がる起立部２２と、軟質材２３とからなる。起立部２２は、バックプレート部２１の前面から垂直に立ち上がる第１の板部２２ａと、起立部２２の先端から交叉方向に延在した第２の板部２２ｂと、この第２の板部２２ｂの両端から第１の板部２２ａと平行に延在した１対の第３の板部２２ｃとからなる。第２の板部２２ｂの前面及び１対の第３の板部２２ｃを覆うようにして、軟質材２３が設けられている。このバックプレート部２１に壁材６の背面６ａが当接され、かつジョイナ２０の軟質材２３に側方から該壁材６の木端面６ｂが押し付けられた状態で、該壁材６がビス３２により間柱３０に固定されている。【選択図】図４
2006112172.tif 000002
【特許請求の範囲】
【請求項１】
バックプレート部と、該バックプレート部の前面から立ち上がる起立部を有し、該起立部が壁材同士の間又は壁材と隣接部材との間の目地部内に配置されるジョイナにおいて、
該ジョイナの該壁材又は隣接部材と接する部分の少なくとも一部に軟質材が設けられていることを特徴とするジョイナ。
【請求項２】
請求項１において、該軟質材は、該ジョイナの長手方向に連続して設けられていることを特徴とするジョイナ。
【請求項３】
請求項１又は２において、前記軟質材は少なくとも前記起立部の側部の一部に設けられていることを特徴とするジョイナ。
【請求項４】
請求項３において、前記起立部の前部にも軟質材が設けられていることを特徴とするジョイナ。
【請求項５】
請求項１ないし４のいずれか１項において、前記バックプレート部の前面に軟質材が設けられていることを特徴とするジョイナ。
【請求項６】
壁材同士の間又は壁材と隣接部材との間の目地部にジョイナが配置され、該目地部にシーリング材が充填されている壁構造において、
該ジョイナは請求項１ないし５のいずれか１項に記載のジョイナであることを特徴とする壁構造。
【請求項７】
請求項６において、該ジョイナは請求項４に記載のジョイナであり、目地部に充填されたシーリング材が該目地部に臨む壁材又は隣接部材の木端面に付着していることを特徴とする壁構造。
【発明の詳細な説明】
【技術分野】
【０００１】
本発明は、壁材同士の間又は壁材と隣接部材との間の目地部に配置されるジョイナと、このジョイナを用いた壁構造とに関するものである。
【背景技術】
【０００２】
ジョイナを用いた壁構造の従来例（特開平６−４９９６４号）について、第１０，１１図を参照して説明する。なお、第１０図はジョイナの斜視図であり、第１１図はこのジョイナを用いた壁構造を示す断面図である。
【０００３】
このジョイナ１は、バックプレート部２と、該バックプレート部２から立ち上がる起立部３と、該起立部３の立ち上がり方向の先端に設けられた、バックプレート部２と平行なトップ部４とを有した「エ」字断面形状である。このジョイナ１は壁下地（又は柱）５に釘やビスで留め付けられ、壁材６の背面６ａの縁部が該バックプレート部２上に重ね合わされ、木端面６ｂ同士が対面して、トップ部４に当接するように壁下地５に取り付けられる。このトップ部４よりも前方側の目地部内にシーリング材７が充填される。
【０００４】
第１２図のジョイナ１０は、別の従来例に係るものであり、１対のバックプレート部１１，１１と、該バックプレート部１１，１１から前方に起立する１対の起立部１２，１２と、該起立部１２，１２の先端同士をつなぐトップ部１３とを有したハット形断面形状である。
【０００５】
各壁材６は、その背面６ａの縁部をバックプレート部１１に重ね、木端面６ｂを起立部１２に当接させるようにして壁下地５に取り付けられる。トップ部１３の前方側の目地部内にシーリング材７が充填される。
【特許文献１】特開平６−４９９６４号公報
【発明の開示】
【発明が解決しようとする課題】
【０００６】
Ｉ．  上記第１０〜１２図に示した従来の壁構造にあっては、シーリング材７が各木端面６ｂ，６ｂに水密的に付着しているならば十分な防水特性を有するが、シーリング材７が木端面６ｂから離反するシール切れ現象が生じると、雨水等の水が壁材６の裏側にまで流入するようになる。
【０００７】
本発明は、このようなシール切れが生じても壁材又は隣接部材（窓材、ドア枠、出隅材、見切材等）の裏側にまで水が流入することを防止ないし抑制することができるジョイナ及び壁構造を提供することを目的とする。
【０００８】
II．上記第１０〜１２図に示した従来の壁構造においては、シーリング材７がトップ部４又は１３に強固に付着している。そのため、壁材６同士が離反する方向（目地幅拡大方向）に変位しようとした場合、シーリング材７の目地幅拡大方向の伸びがトップ部４，１３によって拘束され、シーリング材７と木端面６ｂとの界面に対し、両者を剥離させる方向に大きな応力が発生し、シール切れが発生し易くなる。
【０００９】
本発明は、その一態様において、かかるシール切れを防止することができるジョイナ及び壁構造を提供することを目的とする。
【課題を解決するための手段】
【００１０】
本発明（請求項１）のジョイナは、バックプレート部と、該バックプレート部の前面から立ち上がる起立部を有し、該起立部が壁材同士の間又は壁材と隣接部材との間の目地部内に配置されるジョイナにおいて、該ジョイナの該壁材又は隣接部材と接する部分の少なくとも一部に軟質材が設けられていることを特徴とするものである。
【００１１】
請求項２のジョイナは、請求項１において、該軟質材は、該ジョイナの長手方向に連続して設けられていることを特徴とするものである。
【００１２】
請求項３のジョイナは、請求項１又は２において、前記軟質材は少なくとも前記起立部の側部の一部に設けられていることを特徴とするものである。
【００１３】
請求項４のジョイナは、請求項３において、前記起立部の前部にも軟質材が設けられていることを特徴とするものである。
【００１４】
請求項５のジョイナは、請求項１ないし４のいずれか１項において、前記バックプレート部の前面に軟質材が設けられていることを特徴とするものである。
【００１５】
本発明（請求項６）の壁構造は、壁材同士の間又は壁材と隣接部材との間の目地部にジョイナが配置され、該目地部にシーリング材が充填されている壁構造において、該ジョイナは請求項１ないし５のいずれか１項に記載のジョイナであることを特徴とするものである。
【００１６】
請求項７の壁構造は、請求項６において、該ジョイナは請求項４に記載のジョイナであり、目地部に充填されたシーリング材が該目地部に臨む壁材又は隣接部材の木端面に付着していることを特徴とするものである。
【発明の効果】
【００１７】
本発明のジョイナ及び壁構造にあっては、ジョイナの壁材又は隣接部材（窓材、ドア枠、出隅材、見切材等）と接する部分の少なくとも一部に軟質材が設けられており、この軟質材がジョイナと壁材又は隣接部材との間のシール作用を発揮する。そのため、シーリング材にシール切れが発生しても、水が軟質材よりも奥側にまで流入することが防止される。
【００１８】
請求項２のジョイナにあっては、軟質材がジョイナの長手方向に連続しているので、シール効果に優れる。
【００１９】
請求項３のジョイナにあっては、壁材の木端面又は隣接部材の側面と起立部の側部との間に軟質材が介在するので、この側部に設けられる軟質材の壁材厚さ方向幅を大きくすることにより、シール効果を十分に高くすることができる。
【００２０】
この場合、請求項４のジョイナの通り、起立部の前部にも軟質材を設けることが好ましい。この起立部の前部に設けられた軟質材は、壁材又は隣接部材に接するものではなく、ジョイナ前方の目地部内に充填されたシーリング材と接するものである。即ち、この請求項４のジョイナを用いた請求項７の壁構造にあっては、シーリング材と起立部の前部との間に軟質材が介在している。この壁構造において、壁材同士又は壁材と隣接部材が目地幅拡大方向に変位した場合、シーリング材の伸びが起立部の前部によって殆ど拘束されない。即ち、該起立部の前部とシーリング材との間に軟質材が介在しているので、シーリング材は目地部に比較的自由に伸びる。そのため、シーリング材と壁材木端面との界面付近又はシーリング材と隣接部材との界面付近に過大な応力が発生せず、シーリング材と壁材木端面又は隣接部材側面との剥離が防止されるようになる。
【００２１】
なお、本発明では、請求項５の通り、軟質材はバックプレート部の前面に設けられてもよい。
【発明を実施するための最良の形態】
【００２２】
以下、図面を参照して本発明の実施の形態について説明する。第１図は実施の形態に係るジョイナの斜視図、第２図は第１図のジョイナを上から見た平面図、第３図は第１図のジョイナの軟質材を除いた部分の平面図、第４図は壁材同士の間の目地部に第１図のジョイナが配置された壁構造を示す水平断面図である。
【００２３】
ジョイナ２０は、バックプレート部２１と、該バックプレート部２１の前面から立ち上がる起立部２２と、軟質材２３とからなっている。
【００２４】
この起立部２２は、バックプレート部２１の前面から垂直に立ち上がり、後述する壁材６の木端面６ｂに対面する第１の板部２２ａと、起立部２２の先端に形成される該起立部２２と交叉方向、即ち、該木端面６ｂと交叉方向に延在した第２の板部２２ｂと、この第２の板部２２ｂの両端から第１の板部２２ａと平行に延在した１対の第３の板部２２ｃとからなっている。第３図の通り、ジョイナ２０のうち、バックプレート部２１、第１の板部２２ａ及び第２の板部２２ｂよりなる部分は平面「エ」字形状となっており、また、第２の板部２２ｂ及び１対の第３の板部２２ｃよりなる部分は平面Ｈ字形状となっている。
【００２５】
なお、図示は省略するが、バックプレート部２１の前面であって起立部２２の両側に、該ジョイナ２０の長手方向に延在する１条又は複数条の凸条よりなる水返しが設けられていてもよい。また、バックプレート部２１の幅を小さくするために、該バックプレート部２１を割断するための筋状の凹条を該バックプレート部２１の長手方向に延設してもよい。
【００２６】
このジョイナ２０の前部及び側部、即ち、第２の板部２２ｂの前面及び１対の第３の板部２２ｃを覆うようにして、軟質材２３が設けられている。この軟質材２３は、ジョイナ２０の長手方向、即ち第１図の上下方向に連続して設けられている。
【００２７】
この軟質材２３の材質は軟質であれば特に制限はないが、ゴム又は合成樹脂、例えば発泡ゴム、フッ素樹脂、シリコーン樹脂などが好適である。発泡合成樹脂も好適である。
【００２８】
このジョイナ２０を用いた壁構造の一例を第４図に示す。
【００２９】
第４図の通り、本柱又は間柱３０の前面に沿って防水紙３１が配設されており、該防水紙３１にジョイナ２０のバックプレート部２１が当接され、該バックプレート部２１が釘などにより間柱３０に固定されている。このバックプレート部２１に壁材６の背面６ａが当接され、かつ軟質材２３に側方から該壁材６の木端面６ｂが押し付けられた状態で、該壁材６がビス３２により間柱３０に固定されている。この壁材６の木端面６ｂ同士の間の目地部のうち軟質材２３の前面側に、シーリング材７が充填されることにより、壁構造が形成されている。
【００３０】
なお、その後、壁材６の前面にタイル張りや塗り仕上げが施される。
【００３１】
本実施の形態に係るジョイナ２０及びこのジョイナ２０を用いた壁構造にあっては、第２の板部２２ｂ及び第３の板部２２ｃに軟質材２３が設けられていることにより、以下の効果を奏する。即ち、第４図の通り、第３の板部２２ｃと壁材６の木端面６ｂとによって軟質材２３が挟圧され、該軟質材２３は木端面６ｂに密着していることから、シーリング材７のシール切れが発生しても、水が該軟質材２３と木端面６ｂとの間を通って軟質材２３よりも奥側に流入することが防止される。また、第２の板部２２ｂの前面にも軟質材２３が設けられていることから、第４図の通り、シーリング材７と第２の板部２２ｂとの間に軟質材２３が介在している。このため、壁材６同士が目地幅拡大方向に変位した場合、シーリング材７の伸びがジョイナ２０の第２の板部２２ｂによって殆ど拘束されない。即ち、該第２の板部２２ｂとシーリング材７との間に軟質材２３が介在しているので、シーリング材７は目地部に比較的自由に伸びる。そのため、シーリング材７と壁材木端面６ｂとの界面付近に過大な応力が発生せず、シーリング材７と木端面６ｂとの剥離が防止される。
【００３２】
なお、第３の板部２２ｃを設けているので、軟質材２３を十分に木端面６ｂに押し付けることができ、また、軟質材２３の厚みを小さくしてジョイナ２０の製造コストを低くすることができる。
【００３３】
本実施の形態に係るジョイナ２０及びこのジョイナ２０を用いた壁構造にあっては、軟質材２３がジョイナ２０の長手方向に連続しているので、目地部の全長にわたってシール効果に優れる。
【００３４】
第５図ないし第９図はそれぞれ別の実施の形態に係るジョイナの平面図である。
【００３５】
第５図のジョイナ２０Ａは、起立部２２Ａの第３の板部２２ｄが、第１図の第３の板部２２ｃよりもバックプレート部２１側に延在している。このジョイナ２０Ａのその他の構成は第１図のジョイナ２０と同一である。このジョイナ２０Ａにあっては、軟質材２３Ａと壁材６の木端面６ｂとの接触面積が大きいことから、シール切れが発生しても、奥側への水の流入がより確実に防止される。
【００３６】
第６図のジョイナ２０Ｂは、軟質材２３Ｂがバックプレート部２１の前面に設けられている。このジョイナ２０Ｂのその他の構成は第１図のジョイナ２０と同一である。このジョイナ２０Ｂにあっては、軟質材２３Ｂがバックプレート部２１と壁材６の背面６ａとによって挟圧され、軟質材２３Ｂは背面６ａに密着することから、水が軟質材２３Ｂよりも奥側に流入することが防止される。
【００３７】
第７図のジョイナ２０Ｃは、間隔をあけて平行に配置された１対のバックプレート部２１ａ，２１ａと、該バックプレート部２１ａ，２１ａの互いに対向する面から前方に起立する１対の第１の板部２２ｅ，２２ｅと、該１対の第１の板部２２ｅ，２２ｅの先端同士をつなぐ第２の板部２２ｂとからなる平面ハット形状のジョイナ本体と、これらバックプレート部２１ａ、第１の板部２２ｅ，２２ｅ及び第２の板部２２ｂの前面を覆うようにして設けられた軟質材２３Ｃとからなっている。
【００３８】
このジョイナ２０Ｃにあっても、第１図のジョイナ２０と同様の効果が奏される。即ち、第４図の壁構造において、第１図のジョイナ２０の代わりにこのジョイナ２０Ｃを用いた場合にあっても、第１の板部２２ｅ，２２ｅと壁材６の木端面６ｂとによって軟質材２３Ｃが挟圧され、該軟質材２３Ｃは木端面６ｂに密着することから、シーリング材７のシール切れが発生しても、水が該軟質材２３Ｃと木端面６ｂとの間を通って軟質材２３Ｃよりも奥側に流入することが防止される。また、第２の板部２２ｂの前面にも軟質材２３Ｃが設けられていることから、シーリング材７と第２の板部２２ｂとの間に軟質材２３Ｃが介在している。このため、壁材６同士が目地幅拡大方向に変位した場合、シーリング材７の伸びがジョイナ２０Ｃの第２の板部２２ｂによって殆ど拘束されない。即ち、該第２の板部２２ｂとシーリング材７との間に軟質材２３Ｃが介在しているので、シーリング材７は目地部に比較的自由に伸びる。そのため、シーリング材７と壁材木端面６ｂとの界面付近に過大な応力が発生せず、シーリング材７と木端面６ｂとの剥離が防止される。このジョイナ２０Ｃは、軟質材２３Ｃがジョイナ２０Ｃの長手方向に連続しているので、目地部の全長にわたってシール効果に優れる。
【００３９】
第８図のジョイナ２０Ｄは、軟質材２３Ｄが１対の第１の板部２２ｅ，２２ｅの全面及びバックプレート部２１ａの前面の一部を覆うように設けられていること以外は、第７図のジョイナ２０Ｃと同一である。このジョイナ２０Ｄにあっては、軟質材２３Ｄが第１の板部２２ｅと壁材６の木端面６ｂとによって挟圧され、軟質材２３Ｄは該木端面６ｂに密着することから、水が軟質材２３Ｄよりも奥側に流入することが防止される。
【００４０】
第９図のジョイナ２０Ｅは、軟質材２３Ｅが第１の板部２２ｅの前面の一部及びバックプレート部２１ａの前面の全面に設けられていること以外は第７図のジョイナ２０Ｃと同一である。
【００４１】
このジョイナ２０Ｅを用いた壁構造にあっては、軟質材２３Ｅが壁材６の背面６ａとバックプレート部２１ａの前面とによって挟圧される。このジョイナ２０Ｅにあっても、水が軟質材２３Ｅよりも奥側に流入することが防止される。
【００４２】
第１３（ａ）図は別の実施の形態に係るジョイナの斜視図、第１３図（ｂ）は第１３図（ａ）のジョイナを上から見た平面図、第１３図（ｃ）は第１３図（ａ）のジョイナであってバックプレート部の右側部分を割断する前の状態を示す平面図である。第１４図は壁材と窓材との間の目地部に第１３図のジョイナが配置された壁構造の一例を示す水平断面図である。
【００４３】
第１３図（ｃ）の通り、ジョイナ２０Ｆは、バックプレート部２１ｂの幅を小さくするために、該バックプレート部２１ｂを割断するための筋状の凹条２４が該バックプレート部２１ｂの長手方向に延設されている。また、バックプレート部２１（ｂ）の前面であって起立部２２の両側に、該ジョイナ２０Ｆの長手方向に延在する複数条の突条部（水返し）２５が設けられている。
【００４４】
本実施の形態では、後述の通り、該ジョイナ２０Ｆを壁材と窓材との間の目地部に配置するため、第１３図（ａ）、（ｂ）の通り、バックプレート部２１ｂの第１３図（ａ）における右側（第１３図（ｂ）では左側）を凹条２４に沿って割断して使用される。このジョイナ２０Ｆのその他の構成は第１図のジョイナ２０と同一である。
【００４５】
このジョイナ２０Ｆを用いた壁構造の一例を第１４図に示す。
【００４６】
第１４図の通り、窓材９の左側から垂直に立ち上がる起立部９ａの背面が柱３０の前面右端に当接され、釘等によって固定されている。この起立部９ａの前面から柱３０の前面にわたり、防水テープ８が貼着されている。この柱３０及び防水テープ８の前面に沿って防水紙３１が配設されている。該防水テープ８にジョイナ２０Ｆのバックプレート部２１ｂが当接され、該バックプレート部２１ｂが釘などにより柱３０に固定されている。ジョイナ２０Ｆは、バックプレート部２１ｂの割断面が第１４図における右側となるようにして固定されている。このバックプレート部２１ｂの前面左側に壁材６の背面６ａが当接され、かつ軟質材２３に側方から該壁材６の木端面６ｂが押し付けられた状態で、該壁材６がビス３２により柱３０に固定されている。この壁材６と窓材９との間の目地部のうち軟質材２３の前面側に、シーリング材７が充填されることにより、壁構造が形成されている。
【００４７】
なお、その後、壁材６の前面にタイル張りや塗り仕上げが施される。
【００４８】
本実施の形態に係るジョイナ２０Ｆ及びこのジョイナ２０Ｆを用いた壁構造にあっては、第２の板部２２ｂ及び第３の板部２２ｃに軟質材２３が設けられていることにより、以下の効果を奏する。即ち、第１４図の通り、第３の板部２２ｃと壁材６の木端面６ｂとによって軟質材２３が挟圧され、該軟質材２３は木端面６ｂに密着していることから、シーリング材７のシール切れが発生しても、水が該軟質材２３と木端面６ｂとの間を通って軟質材２３よりも奥側に流入することが防止される。同様に、第３の板部２２ｃと窓材９の側面とによって軟質材２３が挟圧され、該軟質材２３は窓材９の側面に密着していることから、シーリング材７のシール切れが発生しても、水が該軟質材２３と窓材との間を通って軟質材２３よりも奥側に流入することが防止される。また、第２の板部２２ｂの前面にも軟質材２３が設けられていることから、第１４図の通り、シーリング材７と第２の板部２２ｂとの間に軟質材２３が介在している。このため、壁材６と窓材９とが目地幅拡大方向に変位した場合、シーリング材７の伸びがジョイナ２０の第２の板部２２ｂによって殆ど拘束されない。即ち、該第２の板部２２ｂとシーリング材７との間に軟質材２３が介在しているので、シーリング材７は目地部に比較的自由に伸びる。そのため、シーリング材７と壁材木端面６ｂとの界面付近及びシーリング材７と窓材９の側面との界面付近に過大な応力が発生せず、シーリング材７と木端面６ｂとの剥離及びシーリング材７と窓材９との剥離が防止される。
【００４９】
上記の実施の形態はいずれも本発明の一例であり、本発明は図示以外の形態をもとりうる。例えば、第７図において、軟質材２３Ｃがバックプレート部２１ａを覆ってもよい。第１３図のジョイナ２０Ｆにおいて、凹条２４は突条部２５の外側に設けられていてもよい。壁材とドア枠、出隅材又は見切材との間の目地部に本実施の形態のジョイナが配置された壁構造としてもよい。
【図面の簡単な説明】
【００５０】
【図１】実施の形態に係るジョイナの斜視図である。
【図２】第１図のジョイナを上から見た平面図である。
【図３】第１図のジョイナの軟質材を除いた部分の平面図である。
【図４】壁材同士の間の目地部に第１図のジョイナが配置された壁構造を示す水平断面図である。
【図５】別の実施の形態に係るジョイナの平面図である。
【図６】別の実施の形態に係るジョイナの平面図である。
【図７】別の実施の形態に係るジョイナの平面図である。
【図８】別の実施の形態に係るジョイナの平面図である。
【図９】別の実施の形態に係るジョイナの平面図である。
【図１０】従来例に係るジョイナの斜視図である。
【図１１】第１０図のジョイナを用いた壁構造を示す断面図である。
【図１２】別の従来例に係るジョイナを用いた壁構造を示す断面図である。
【図１３】（ａ）は別の実施の形態に係るジョイナの斜視図、（ｂ）は（ａ）のジョイナを上から見た平面図、（ｃ）は（ａ）のジョイナであってバックプレート部の右側部分を割断する前の状態を示す平面図である。
【図１４】壁材と窓材との間の目地部に第１３図のジョイナが配置された壁構造の一例を示す水平断面図である。
【符号の説明】
【００５１】
６  壁材
６ａ  背面
６ｂ  木端面
７  シーリング材
８  防水テープ
９  窓材
２０，２０Ａ，２０Ｂ，２０Ｃ，２０Ｄ，２０Ｅ，２０Ｆ  ジョイナ
２１，２１ａ，２１ｂ  バックプレート部
２２  起立部
２２ａ，２２ｅ  第１の板部
２２ｂ  第２の板部
２２ｃ，２２ｄ  第３の板部
２３，２３Ａ，２３Ｂ，２３Ｃ，２３Ｄ，２３Ｅ  軟質材
２４  凹条
２５  突条部
３０  柱
３１  防水紙
３２  ビス
【図１】
2006112172.tif 000003
【図２】
2006112172.tif 000004
【図３】
2006112172.tif 000005
【図４】
2006112172.tif 000006
【図５】
2006112172.tif 000007
【図６】
2006112172.tif 000008
【図７】
2006112172.tif 000009
【図８】
2006112172.tif 000010
【図９】
2006112172.tif 000011
【図１０】
2006112172.tif 000012
【図１１】
2006112172.tif 000013
【図１２】
2006112172.tif 000014
【図１３】
2006112172.tif 000015
【図１４】
2006112172.tif 000016